(57)【要約】【課題】  ソース装置からの映像音声信号を効率的に無線送信する。【解決手段】  ソース装置１０に接続されたアダプタ装置２０は、シンク装置４０の複数の映像表示方式及び複数の音声出力方式のデータを含むＥＤＩＤ応答メッセージ信号をアダプタ装置３０から無線受信する。さらに、受信された複数の映像表示方式及び複数の音声出力方式のデータに基づいて、最速のデータ伝送速度を有する映像表示方式及び催促のデータ伝送速度を有する音声出力方式を選択し、選択された映像表示方式の映像信号及び選択された音声出力方式の音声信号を無線伝送するための帯域を、ソース装置１０からの映像音声信号を無線送信するための帯域として予約する。【選択図】図４
2009284047.tif 000002
【特許請求の範囲】
【請求項１】
ソース装置に有線接続され、映像信号を含む上記ソース装置からの送信信号を所定の帯域において無線送信するソース装置用アダプタ装置と、
複数の映像表示方式のデータを記憶するシンク装置に有線接続され、上記送信信号を無線受信し、上記無線受信された送信信号に含まれる映像信号を上記シンク装置の表示手段に出力して表示するシンク装置用アダプタ装置とを備えた無線通信システムのためのソース装置用アダプタ装置であって、
上記シンク装置の複数の映像表示方式のデータを含む方式通知信号を上記シンク装置用アダプタ装置から無線受信し、上記複数の映像表示方式のデータに基づいて最速のデータ伝送速度を有する映像表示方式を選択し、上記選択された映像表示方式の映像信号を無線伝送するための帯域を上記所定の帯域として予約する制御手段を備えたことを特徴とするソース装置用アダプタ装置。
【請求項２】
上記制御手段は、上記複数の映像表示方式のデータに基づいて、上記各映像表示方式の映像信号を無線伝送するための各データ伝送速度を算出し、上記算出されたデータ伝送速度に基づいて、上記最速のデータ伝送速度を有する映像表示方式を選択することを特徴とする請求項１記載のソース装置用アダプタ装置。
【請求項３】
上記各映像表示方式と、上記各映像表示方式の映像信号を無線伝送するための各データ伝送速度とを対応づけて格納する帯域管理テーブルを予め記憶する記憶手段をさらに備え、
上記制御手段は、上記帯域管理テーブルを参照して、上記最速のデータ伝送速度を有する映像表示方式を選択することを特徴とする請求項１記載のソース装置用アダプタ装置。
【請求項４】
上記各映像表示方式と、上記各映像表示方式の映像信号を無線伝送するための各データ伝送速度を示す優先順位とを対応づけて格納する帯域管理テーブルを予め記憶する記憶手段をさらに備え、
上記制御手段は、上記帯域管理テーブルを参照して、最高の優先順位を有する映像表示方式を、上記最速のデータ伝送速度を有する映像表示方式として選択することを特徴とする請求項１記載のソース装置用アダプタ装置。
【請求項５】
上記帯域管理テーブルは、上記各映像表示方式と、上記各映像表示方式の映像信号を無線伝送するための帯域を予約するための各帯域予約パラメータとを対応づけてさらに格納し、
上記制御手段は、上記帯域管理テーブルを参照して、上記選択された映像表示方式に対応する帯域予約パラメータを用いて、上記選択された映像表示方式の映像信号を無線伝送するための帯域を、上記所定の帯域として予約することを特徴とする請求項３又は４記載のソース装置用アダプタ装置。
【請求項６】
上記選択された映像表示方式の映像信号を無線伝送するための帯域は、複数の予約期間の繰り返しから構成され、
上記帯域予約パラメータは、上記各予約期間の時間幅と、時間間隔と、繰り返し回数とを少なくとも含むことを特徴とする請求項５記載のソース装置用アダプタ装置。
【請求項７】
上記送信信号は当該送信信号に含まれる映像信号の映像表示方式を含み、
上記制御手段は、上記送信信号に含まれる映像信号の映像表示方式が上記選択された映像表示方式と異なるときに、上記予約された所定の帯域を解放し、上記送信信号に含まれる映像信号を無線伝送するための帯域を、上記所定の帯域として予約することを特徴とする請求項１から６までのうちのいずれか１つの請求項記載のソース装置用アダプタ装置。
【請求項８】
上記方式通知信号は、上記シンク装置の複数の映像表示方式のデータを含むＥＤＩＤ（Extended Display Identification Data）データを含むことを特徴とする請求項１から７までのうちのいずれか１つの請求項記載のソース装置用アダプタ装置。
【請求項９】
上記送信信号は上記ソース装置からの音声信号をさらに含み、
上記シンク装置は複数の音声出力方式のデータをさらに記憶し、
上記シンク装置用アダプタ装置は、上記送信信号に含まれる音声信号を上記シンク装置に出力し、
上記方式通知信号は上記シンク装置の複数の音声出力方式のデータをさらに含み、
上記制御手段は、上記複数の音声出力方式のデータに基づいて最速のデータ伝送速度を有する音声出力方式を選択し、上記選択された映像表示方式の映像信号及び上記選択された音声出力方式の音声信号を無線伝送するための帯域を、上記所定の帯域として予約することを特徴とする請求項１記載のソース装置用アダプタ装置。
【請求項１０】
上記制御手段は、上記ソース装置が上記送信信号を送信可能であることを示す送信可否通知信号を上記ソース装置から受信したときに、上記所定の帯域を予約することを特徴とする請求項１から９までのうちのいずれか１つの請求項記載のソース装置用アダプタ装置。
【請求項１１】
上記制御手段は、上記シンク装置が上記送信信号を受信可能であることを示す受信可否通知信号を、上記シンク装置用アダプタ装置から無線受信したときに、上記所定の帯域を予約することを特徴とする請求項１から１０までのうちのいずれか１つの請求項記載のソース装置用アダプタ装置。
【請求項１２】
上記制御手段は、上記ソース装置が上記送信信号を送信できないことを示す送信可否通知信号を上記ソース装置から受信したときに、上記予約された所定の帯域を解放することを特徴とする請求項１から１１までのうちのいずれか１つの請求項記載のソース装置用アダプタ装置。
【請求項１３】
上記制御手段は、上記シンク装置が上記送信信号を受信できないことを示す受信可否通知信号を、上記シンク装置用アダプタ装置から無線受信したときに、上記予約された所定の帯域を解放することを特徴とする請求項１から１２までのうちのいずれか１つの請求項記載のソース装置用アダプタ装置。
【請求項１４】
ソース装置に有線接続され、映像信号を含む上記ソース装置からの送信信号を所定の帯域において無線送信するソース装置用アダプタ装置と、
複数の映像表示方式のデータを記憶するシンク装置に有線接続され、上記送信信号を無線受信し、上記無線受信された送信信号に含まれる映像信号を上記シンク装置の表示手段に出力して表示するシンク装置用アダプタ装置とを備えた無線通信システムのための、ソース装置用アダプタ装置の制御方法であって、
上記シンク装置の複数の映像表示方式のデータを含む方式通知信号を上記シンク装置用アダプタ装置から無線受信し、上記複数の映像表示方式のデータに基づいて最速のデータ伝送速度を有する映像表示方式を選択し、上記選択された映像表示方式の映像信号を無線伝送するための帯域を上記所定の帯域として予約する制御ステップを含むことを特徴とするソース装置用アダプタ装置の制御方法。
【請求項１５】
上記制御ステップは、上記複数の映像表示方式のデータに基づいて、上記各映像表示方式の映像信号を無線伝送するための各データ伝送速度を算出し、上記算出されたデータ伝送速度に基づいて、上記最速のデータ伝送速度を有する映像表示方式を選択することを含むことを特徴とする請求項１４記載のソース装置用アダプタ装置の制御方法。
【請求項１６】
上記各映像表示方式と、上記各映像表示方式の映像信号を無線伝送するための各データ伝送速度とを対応づけて格納する帯域管理テーブルを記憶手段に予め記憶するステップをさらに含み、
上記制御ステップは、上記帯域管理テーブルを参照して、上記最速のデータ伝送速度を有する映像表示方式を選択することを含むことを特徴とする請求項１４記載のソース装置用アダプタ装置の制御方法。
【請求項１７】
上記各映像表示方式と、上記各映像表示方式の映像信号を無線伝送するための各データ伝送速度を示す優先順位とを対応づけて格納する帯域管理テーブルを記憶手段に予め記憶するステップをさらに含み、
上記制御ステップは、上記帯域管理テーブルを参照して、最高の優先順位を有する映像表示方式を、上記最速のデータ伝送速度を有する映像表示方式として選択することを含むことを特徴とする請求項１４記載のソース装置用アダプタ装置の制御方法。
【請求項１８】
上記帯域管理テーブルは、上記各映像表示方式と、上記各映像表示方式の映像信号を無線伝送するための帯域を予約するための各帯域予約パラメータとを対応づけてさらに格納し、
上記制御ステップは、上記帯域管理テーブルを参照して、上記選択された映像表示方式に対応する帯域予約パラメータを用いて、上記選択された映像表示方式の映像信号を無線伝送するための帯域を、上記所定の帯域として予約することを含むことを特徴とする請求項１６又は１７記載のソース装置用アダプタ装置の制御方法。
【請求項１９】
上記選択された映像表示方式の映像信号を無線伝送するための帯域は、複数の予約期間の繰り返しから構成され、
上記帯域予約パラメータは、上記各予約期間の時間幅と、時間間隔と、繰り返し回数とを少なくとも含むことを特徴とする請求項１８記載のソース装置用アダプタ装置の制御方法。
【請求項２０】
上記送信信号は当該送信信号に含まれる映像信号の映像表示方式を含み、
上記制御ステップは、上記送信信号に含まれる映像信号の映像表示方式が上記選択された映像表示方式と異なるときに、上記予約された所定の帯域を解放し、上記送信信号に含まれる映像信号を無線伝送するための帯域を、上記所定の帯域として予約することを含むことを特徴とする請求項１４から１９までのうちのいずれか１つの請求項記載のソース装置用アダプタ装置の制御方法。
【請求項２１】
上記方式通知信号は、上記シンク装置の複数の映像表示方式のデータを含むＥＤＩＤデータを含むことを特徴とする請求項１４から２０までのうちのいずれか１つの請求項記載のソース装置用アダプタ装置の制御方法。
【請求項２２】
上記送信信号は上記ソース装置からの音声信号をさらに含み、
上記シンク装置は複数の音声出力方式のデータをさらに記憶し、
上記シンク装置用アダプタ装置は、上記送信信号に含まれる音声信号を上記シンク装置に出力し、
上記方式通知信号は上記シンク装置の複数の音声出力方式のデータをさらに含み、
上記制御ステップは、上記複数の音声出力方式のデータに基づいて最速のデータ伝送速度を有する音声出力方式を選択し、上記選択された映像表示方式の映像信号及び上記選択された音声出力方式の音声信号を無線伝送するための帯域を、上記所定の帯域として予約することを含むことを特徴とする請求項１４記載のソース装置用アダプタ装置の制御方法。
【発明の詳細な説明】
【技術分野】
【０００１】
本発明は、ソース装置用アダプタ装置及び当該ソース装置用アダプタ装置のための無線通信方法に関し、特に、ＤＶＤプレーヤやセットトップボックスなどのソース装置が出力する映像信号を、デジタルテレビなどのシンク装置に無線送信するためのソース装置用アダプタ装置及び当該ソース装置用アダプタ装置の制御方法に関する。
【背景技術】
【０００２】
ＤＶＤプレーヤなどのソース装置からプラズマディスプレイ装置（以下、ＰＤＰ装置という。）などのシンク装置に映像信号を伝送するためのインターフェース規格として、ＤＶＩ（Digital Visual Interface）がある。また、ＤＶＩを拡張した次世代デジタルテレビ向けのインターフェース規格として、１本のケーブルで映像信号と音声信号とを伝送するためのＨＤＭＩ（High Definition Multimedia Interface）が開発され（非特許文献１参照）、ＨＤＭＩを採用したＡＶ機器が市場に普及し始めている。
【０００３】
ＨＤＭＩにおいて、ソース装置は送信回路を備え、シンク装置は受信回路及びＥＤＩＤ（Extended Display Identification Data）メモリを備え、ソース装置とシンク装置とはＨＤＭＩに準拠したデジタルデータ伝送バスであるＨＤＭＩケーブルを介して接続される。また、ＤＶＩにおいて、上記ソース装置とシンク装置とは、ＤＶＩに準拠したデジタルデータ伝送バスであるＤＶＩケーブルを介して接続される。ここで、ＥＤＩＤメモリは、シンク装置の識別情報、シンク装置の複数の映像表示方式及び複数の音声出力方式等のコンフィグレーション情報であるＥＤＩＤデータを予め格納する。また、ＨＤＭＩケーブル及びＤＶＩケーブルはそれぞれ、ＴＭＤＳ（Transition Minimized Differential Signaling）チャンネルと、ＤＤＣ（Display Data Channel）チャンネルとを含む。ソース装置は、ＤＤＣチャンネルを介してシンク装置のＥＤＩＤデータを読み出す。
【０００４】
ＨＤＭＩにおいて、ソース装置は、ＥＤＩＤデータから読み出したシンク装置の複数の映像表示方式及び音声出力方式から１つの映像表示方式及び１つの音声出力方式をそれぞれ選択する。さらに、選択された映像出力信号を有するベースバンド映像信号、選択された音声出力方式を有するデジタル音声信号及び補助データを発生して、当該映像表示方式及び音声出力方式のデータとともに、ＴＭＤＳチャンネルを介してシンク装置に送信する。
【０００５】
また、ＤＶＩにおいて、ソース装置は、ＤＤＣチャンネルを介してシンク装置のＥＤＩＤを読み出した後に、ＥＤＩＤから読み出したシンク装置の複数の映像表示方式から１つの映像表示方式を選択する。さらに、選択された映像出力信号を有するベースバンド映像信号を発生して、当該映像表示方式のデータとともに、ＴＭＤＳチャンネルを介してシンク装置に送信する。
【０００６】
さらに、特許文献１に記載の従来のビデオデータ無線伝送システムにおいて、ソース装置は、ＴＭＤＳチャンネルを介して送信される映像信号を含む無線信号を発生して、一定の周波数帯域を用いてシンク装置に無線送信する。
【０００７】
【特許文献１】特表２００７−５１１９７７号公報。
【非特許文献１】"High-Definition Multimedia Interface Specification, Version 1.3a", HDMI Licensing, LLC, California in U.S.A., November 10, 2006.
【発明の開示】
【発明が解決しようとする課題】
【０００８】
上記従来のビデオデータ無線伝送システムにおいては、映像信号の無線送信のために、実際に必要なデータ伝送速度よりも速いデータ伝送速度を有する帯域を割り当てることにより、当該映像信号を確実に無線送信した。従って、当該映像信号を効率的に無線送信できないという課題があった。
【０００９】
本発明の目的は以上の問題点を解決し、従来技術に比較して、ソース装置からの映像信号を従来技術に比較して効率的に無線送信できるソース装置用アダプタ装置及び当該ソース装置用アダプタ装置の制御方法を提供することにある。
【課題を解決するための手段】
【００１０】
第１の発明に係るソース装置用アダプタ装置は、ソース装置に有線接続され、映像信号を含む上記ソース装置からの送信信号を所定の帯域において無線送信するソース装置用アダプタ装置と、
複数の映像表示方式のデータを記憶するシンク装置に有線接続され、上記送信信号を無線受信し、上記無線受信された送信信号に含まれる映像信号を上記シンク装置の表示手段に出力して表示するシンク装置用アダプタ装置とを備えた無線通信システムのためのソース装置用アダプタ装置であって、
上記シンク装置の複数の映像表示方式のデータを含む方式通知信号を上記シンク装置用アダプタ装置から無線受信し、上記複数の映像表示方式のデータに基づいて最速のデータ伝送速度を有する映像表示方式を選択し、上記選択された映像表示方式の映像信号を無線伝送するための帯域を上記所定の帯域として予約する制御手段を備えたことを特徴とする。
【００１１】
上記ソース装置用アダプタ装置において、上記制御手段は、上記複数の映像表示方式のデータに基づいて、上記各映像表示方式の映像信号を無線伝送するための各データ伝送速度を算出し、上記算出されたデータ伝送速度に基づいて、上記最速のデータ伝送速度を有する映像表示方式を選択することを特徴とする。
【００１２】
また、上記ソース装置用アダプタ装置において、上記各映像表示方式と、上記各映像表示方式の映像信号を無線伝送するための各データ伝送速度とを対応づけて格納する帯域管理テーブルを予め記憶する記憶手段をさらに備え、
上記制御手段は、上記帯域管理テーブルを参照して、上記最速のデータ伝送速度を有する映像表示方式を選択することを特徴とする。
【００１３】
さらに、上記ソース装置用アダプタ装置において、上記各映像表示方式と、上記各映像表示方式の映像信号を無線伝送するための各データ伝送速度を示す優先順位とを対応づけて格納する帯域管理テーブルを予め記憶する記憶手段をさらに備え、
上記制御手段は、上記帯域管理テーブルを参照して、最高の優先順位を有する映像表示方式を、上記最速のデータ伝送速度を有する映像表示方式として選択することを特徴とする。
【００１４】
またさらに、上記ソース装置用アダプタ装置において、上記帯域管理テーブルは、上記各映像表示方式と、上記各映像表示方式の映像信号を無線伝送するための帯域を予約するための各帯域予約パラメータとを対応づけてさらに格納し、
上記制御手段は、上記帯域管理テーブルを参照して、上記選択された映像表示方式に対応する帯域予約パラメータを用いて、上記選択された映像表示方式の映像信号を無線伝送するための帯域を、上記所定の帯域として予約することを特徴とする。
【００１５】
また、上記ソース装置用アダプタ装置において、上記選択された映像表示方式の映像信号を無線伝送するための帯域は、複数の予約期間の繰り返しから構成され、
上記帯域予約パラメータは、上記各予約期間の時間幅と、時間間隔と、繰り返し回数とを少なくとも含むことを特徴とする。
【００１６】
さらに、上記ソース装置用アダプタ装置において、上記送信信号は当該送信信号に含まれる映像信号の映像表示方式を含み、
上記制御手段は、上記送信信号に含まれる映像信号の映像表示方式が上記選択された映像表示方式と異なるときに、上記予約された所定の帯域を解放し、上記送信信号に含まれる映像信号を無線伝送するための帯域を、上記所定の帯域として予約することを特徴とする。
【００１７】
またさらに、上記ソース装置用アダプタ装置において、上記方式通知信号は、上記シンク装置の複数の映像表示方式のデータを含むＥＤＩＤデータを含むことを特徴とする。
【００１８】
また、上記ソース装置用アダプタ装置において、上記送信信号は上記ソース装置からの音声信号をさらに含み、
上記シンク装置は複数の音声出力方式のデータをさらに記憶し、
上記シンク装置用アダプタ装置は、上記送信信号に含まれる音声信号を上記シンク装置に出力し、
上記方式通知信号は上記シンク装置の複数の音声出力方式のデータをさらに含み、
上記制御手段は、上記複数の音声出力方式のデータに基づいて最速のデータ伝送速度を有する音声出力方式を選択し、上記選択された映像表示方式の映像信号及び上記選択された音声出力方式の音声信号を無線伝送するための帯域を、上記所定の帯域として予約することを特徴とする。
【００１９】
さらに、上記ソース装置用アダプタ装置において、上記制御手段は、上記ソース装置が上記送信信号を送信可能であることを示す送信可否通知信号を上記ソース装置から受信したときに、上記所定の帯域を予約することを特徴とする。
【００２０】
またさらに、上記ソース装置用アダプタ装置において、上記制御手段は、上記シンク装置が上記送信信号を受信可能であることを示す受信可否通知信号を、上記シンク装置用アダプタ装置から無線受信したときに、上記所定の帯域を予約することを特徴とする。
【００２１】
また、上記ソース装置用アダプタ装置において、上記制御手段は、上記ソース装置が上記送信信号を送信できないことを示す送信可否通知信号を上記ソース装置から受信したときに、上記予約された所定の帯域を解放することを特徴とする。
【００２２】
さらに、上記ソース装置用アダプタ装置において、上記制御手段は、上記シンク装置が上記送信信号を受信できないことを示す受信可否通知信号を、上記シンク装置用アダプタ装置から無線受信したときに、上記予約された所定の帯域を解放することを特徴とする。
【００２３】
第２の発明に係るソース装置用アダプタ装置の制御方法は、ソース装置に有線接続され、映像信号を含む上記ソース装置からの送信信号を所定の帯域において無線送信するソース装置用アダプタ装置と、
複数の映像表示方式のデータを記憶するシンク装置に有線接続され、上記送信信号を無線受信し、上記無線受信された送信信号に含まれる映像信号を上記シンク装置の表示手段に出力して表示するシンク装置用アダプタ装置とを備えた無線通信システムのための、ソース装置用アダプタ装置の制御方法であって、
上記シンク装置の複数の映像表示方式のデータを含む方式通知信号を上記シンク装置用アダプタ装置から無線受信し、上記複数の映像表示方式のデータに基づいて最速のデータ伝送速度を有する映像表示方式を選択し、上記選択された映像表示方式の映像信号を無線伝送するための帯域を上記所定の帯域として予約する制御ステップを含むことを特徴とするソース装置用アダプタ装置の制御方法。
【００２４】
上記ソース装置用アダプタ装置の制御方法において、上記制御ステップは、上記複数の映像表示方式のデータに基づいて、上記各映像表示方式の映像信号を無線伝送するための各データ伝送速度を算出し、上記算出されたデータ伝送速度に基づいて、上記最速のデータ伝送速度を有する映像表示方式を選択することを含むことを特徴とする。
【００２５】
また、上記ソース装置用アダプタ装置の制御方法において、上記各映像表示方式と、上記各映像表示方式の映像信号を無線伝送するための各データ伝送速度とを対応づけて格納する帯域管理テーブルを記憶手段に予め記憶するステップをさらに含み、
上記制御ステップは、上記帯域管理テーブルを参照して、上記最速のデータ伝送速度を有する映像表示方式を選択することを含むことを特徴とする。
【００２６】
さらに、上記ソース装置用アダプタ装置の制御方法において、上記各映像表示方式と、上記各映像表示方式の映像信号を無線伝送するための各データ伝送速度を示す優先順位とを対応づけて格納する帯域管理テーブルを記憶手段に予め記憶するステップをさらに含み、
上記制御ステップは、上記帯域管理テーブルを参照して、最高の優先順位を有する映像表示方式を、上記最速のデータ伝送速度を有する映像表示方式として選択することを含むことを特徴とする。
【００２７】
またさらに、上記ソース装置用アダプタ装置の制御方法において、上記帯域管理テーブルは、上記各映像表示方式と、上記各映像表示方式の映像信号を無線伝送するための帯域を予約するための各帯域予約パラメータとを対応づけてさらに格納し、
上記制御ステップは、上記帯域管理テーブルを参照して、上記選択された映像表示方式に対応する帯域予約パラメータを用いて、上記選択された映像表示方式の映像信号を無線伝送するための帯域を、上記所定の帯域として予約することを含むことを特徴とする。
【００２８】
また、上記ソース装置用アダプタ装置の制御方法において、上記選択された映像表示方式の映像信号を無線伝送するための帯域は、複数の予約期間の繰り返しから構成され、
上記帯域予約パラメータは、上記各予約期間の時間幅と、時間間隔と、繰り返し回数とを少なくとも含むことを特徴とする。
【００２９】
さらに、上記ソース装置用アダプタ装置の制御方法において、上記送信信号は当該送信信号に含まれる映像信号の映像表示方式を含み、
上記制御ステップは、上記送信信号に含まれる映像信号の映像表示方式が上記選択された映像表示方式と異なるときに、上記予約された所定の帯域を解放し、上記送信信号に含まれる映像信号を無線伝送するための帯域を、上記所定の帯域として予約することを含むことを特徴とする。
【００３０】
またさらに、上記ソース装置用アダプタ装置の制御方法において、上記方式通知信号は、上記シンク装置の複数の映像表示方式のデータを含むＥＤＩＤデータを含むことを特徴とする。
【００３１】
また、上記ソース装置用アダプタ装置の制御方法において、上記送信信号は上記ソース装置からの音声信号をさらに含み、
上記シンク装置は複数の音声出力方式のデータをさらに記憶し、
上記シンク装置用アダプタ装置は、上記送信信号に含まれる音声信号を上記シンク装置に出力し、
上記方式通知信号は上記シンク装置の複数の音声出力方式のデータをさらに含み、
上記制御ステップは、上記複数の音声出力方式のデータに基づいて最速のデータ伝送速度を有する音声出力方式を選択し、上記選択された映像表示方式の映像信号及び上記選択された音声出力方式の音声信号を無線伝送するための帯域を、上記所定の帯域として予約することを含むことを特徴とする。
【発明の効果】
【００３２】
本発明に係るソース装置用アダプタ装置及びソース装置用アダプタ装置の制御方法によれば、上記シンク装置の複数の映像表示方式のデータを含む方式通知信号を上記シンク装置用アダプタ装置から無線受信し、上記複数の映像表示方式のデータに基づいて最速のデータ伝送速度を有する映像表示方式を選択し、上記選択された映像表示方式の映像信号を無線伝送するための帯域を上記所定の帯域として予約するので、ソース装置からの映像信号を従来技術に比較して効率的に無線送信できる。
【発明を実施するための最良の形態】
【００３３】
以下、本発明に係る実施形態について図面を参照して説明する。なお、以下の各実施形態において、同様の構成要素については同一の符号を付している。
【００３４】
第１の実施形態．
図１は、本発明の第１の実施形態に係る、ソース装置１０と、アダプタ装置２０及び３０と、シンク装置４０とを含む無線通信システムの構成を示すブロック図である。また、図２は、図１のソース装置１０及びアダプタ装置２０の各構成を示すブロック図であり、図３は、図１のアダプタ装置３０及びシンク装置４０の各構成を示すブロック図である。
【００３５】
図１において、本実施形態に係る無線通信システムは、ＤＶＤプレーヤであるソース装置１０と、アンテナ２５を備えたソース装置用アダプタ装置２０（以下、アダプタ装置２０という。）と、アンテナ３２を備えたシンク装置用アダプタ装置３０（以下、アダプタ装置３０という。）と、ＰＤＰ（Plasma Display Panel）装置であるシンク装置４０とを含む。ソース装置１０は、ＨＤＭＩに準拠した信号を送受信する信号ソース装置であり、ＨＤＭＩに準拠したデジタルデータ伝送バスであるＨＤＭＩケーブル５１を介してアダプタ装置２０に接続される。さらに、アダプタ装置２０とアダプタ装置３０とは、アンテナ２５及び３２を介して互いに無線接続される。さらに、シンク装置４０は、複数の映像表示方式及び複数の音声出力方式のデータを含むＥＤＩＤデータを記憶し、ＨＤＭＩに準拠した信号を送受信する信号シンク装置であり、ＨＤＭＩに準拠したデジタルデータ伝送バスであるＨＤＭＩケーブル５２を介してアダプタ装置３０に接続される。詳細後述するように、図１の無線通信システムにおいて、ソース装置１０とシンク装置４０とは、アダプタ装置２０及び３０を介して、ＨＤＭＩに基づいて種々の信号を送受信する。特に、詳細後述するように、アダプタ装置２０は、映像音声信号を含むソース装置１０からの送信信号を所定の帯域においてアダプタ装置３０に向け無線送信し、アダプタ装置３０は、上記送信信号を無線受信し、無線受信された送信信号に含まれる映像音声信号をシンク装置３０のスピーカ付きディスプレイ４４に出力する。
【００３６】
図１において、ＨＤＭＩケーブル５１及び５２はそれぞれ、映像音声信号を伝送するための複数の映像音声信号線と、５Ｖ電圧信号（+5V Power signal）を伝送するための５Ｖ電圧信号線と、ＨＰＤ（Hot Plug Detect）信号を伝送するためのＨＰＤ信号線と、ＤＤＣ（Display Data Channel）信号を伝送するためのＤＤＣ信号線とを含む。
【００３７】
ここで、５Ｖ電圧信号は、ＨＤＭＩ及びＤＶＩにおいて定義されており、ソース装置がシンク装置に対して映像音声信号（ＤＶＩにおいては、映像信号）を送信可能か否かを示す送信可否通知信号である。ソース装置は、ＨＤＭＩケーブル又はＤＶＩケーブルの５Ｖ電圧信号線の電圧レベルを０Ｖに設定することにより、当該ソース装置が映像音声信号を送信できないことを示すローレベルの５Ｖ電圧信号を発生して、シンク装置に出力する。また、ソース装置は、上記５Ｖ電圧信号線の電圧レベルを０Ｖから５Ｖに変化させることにより、当該ソース装置が映像音声信号を送信可能であることを示すハイレベルの５Ｖ電圧信号を発生して、シンク装置に出力する。
【００３８】
また、ＨＰＤ信号は、ＨＤＭＩ及びＤＶＩにおいて定義されており、シンク装置がソース装置からの映像音声信号（ＤＶＩにおいては、映像信号）を受信可能か否かを示す受信可否通知信号である。シンク装置は、ＨＤＭＩケーブル又はＤＶＩケーブルのＨＰＤ信号線の電圧レベルをローレベルに設定することにより、当該シンク装置が映像音声信号を受信できないことを示すＨＰＤ信号を発生してソース装置に出力する。また、シンク装置は、ＨＰＤ信号線の電圧レベルをローレベルからハイレベルに変化させることにより、当該シンク装置が映像音声信号を受信可能であることを示すＨＰＤ信号を発生してソース装置に出力する。
【００３９】
図２において、ソース装置１０は、コントローラ１１と、デコーダ１２と、ＤＶＤドライブ１３と、ＤＶＤ１４と、インターフェース１５とを備えて構成される。コントローラ１１は、ソース装置１０の全体の動作を制御する。また、インターフェース１５は、コントローラ１１から入力される信号に対して、アダプタ装置２０とのインターフェース処理を実行して、ＨＤＭＩに準拠する信号を発生して、ＨＤＭＩケーブル５１を介してアダプタ装置２０に出力する一方、アダプタ装置２０からＨＤＭＩケーブル５１を介して入力される信号を受信して、信号変換やプロトコル変換を含む所定のインターフェース処理を実行してコントローラ１１に出力する。
【００４０】
ソース装置１０において、デコーダ１２の動作はコントローラ１１によって制御される。デコーダ１２は、ＤＶＤ１４に格納されたコンテンツを、ＤＶＤドライブ１３を用いて再生して、映像データ、音声データ、映像信号の水平同期信号及び垂直同期信号、及び補助データを発生してコントローラ１１に出力する。コントローラ１１は、デコーダ１２からの映像データ、音声データ、映像信号の水平同期信号及び垂直同期信号、及び補助データに基づいて、デジタル映像信号、当該デジタル映像信号の表示方式、デジタル音声信号、当該デジタル音声信号の出力方式及び補助データを含む映像音声信号を発生して、ＨＤＭＩケーブル５１の映像音声信号線を介してアダプタ装置２０に出力する。
【００４１】
図２において、アダプタ装置２０は、コントローラ２１と、インターフェース２２と、パケット処理回路２３と、高速無線送信回路２４ａ及び低速無線送受信回路２４ｂを含む無線送受信回路２４と、アンテナ２５とを備えて構成される。コントローラ２１は、アダプタ装置２０の全体の動作を制御する。インターフェース２２は、ソース装置１０とのインターフェース処理を実行して、ＨＤＭＩに準拠する信号やデータをＨＤＭＩケーブ５１を介してソース装置１０に出力する一方、ソース装置１０からＨＤＭＩケーブル５１を介して入力される信号を受信して、信号変換やプロトコル変換を含む所定のインターフェース処理を実行してパケット処理回路２３に出力する。
【００４２】
パケット処理回路２３は、コントローラ２１からの制御に従って、インターフェース２１から入力される映像音声信号を所定のパケットの形式のデジタル信号に変換して、高速無線送信回路２４ａに出力する。高速無線送信回路２４ａは、例えば６０ＧＨｚ程度のミリ波帯である高い周波数を有する搬送波を、パケット処理回路２３からのデジタル信号に従って変調することにより、非圧縮で映像信号及び音声信号を含む映像音声無線信号を発生し、アンテナ２５を介してアダプタ装置３０のアンテナ３２に向け無線送信する。無線通信システムでは、一般に、搬送波周波数が高くなるほど速い伝送速度を設定することができ、高速無線送信回路２４ａの伝送速度は後述する低速無線送受信回路２４ｂの伝送速度よりも速くなるように設定される。
【００４３】
さらに、パケット処理回路２３は、コントローラ２１からの制御に従って、コントローラ２１から入力される種々のコマンド信号及びメッセージ信号を所定のパケットの形式のデジタル信号に変換して、低速無線送受信回路２４ｂに出力する。低速無線送受信回路２４ｂは、ミリ波又はマイクロ波等の低い周波数を有する搬送波を、パケット処理回路２３からのデジタル信号に従って変調することにより、無線信号を発生し、アンテナ２５を介してアダプタ装置３０のアンテナ３２に向け無線送信する。
【００４４】
一方、アダプタ装置３０から送信される無線信号はアンテナ２５により受信された後、低速無線送受信回路２４ｂに入力され、デジタル信号に復調された後、パケット処理回路２３に出力される。パケット処理回路２３は、コントローラ２１からの制御に基づいて、入力されるデジタル信号から所定のパケット分離処理により所定のコマンド信号及びメッセージ信号を取り出した後、コントローラ２１に出力する。
【００４５】
詳細後述するように、アダプタ装置２０は、シンク装置４０の複数の映像表示方式及び複数の音声出力方式のデータを含む方式通知信号をアダプタ装置３０から無線受信し、受信された複数の映像表示方式のデータに基づいて最速のデータ伝送速度を有する映像表示方式を選択し、受信された複数の音声出力方式のデータに基づいて最速のデータ伝送速度を有する音声出力方式を選択し、選択された映像表示方式の映像信号及び選択された音声出力方式の音声信号を無線伝送するための帯域を、ソース装置１０からの映像音声信号を無線伝送するための帯域として予約するコントローラ２１を備えたことを特徴としている。
【００４６】
図３において、アダプタ装置３０は、コントローラ３１と、アンテナ３２と、高速無線送信回路３３ａ及び低速無線送受信回路３３ｂを含む無線送受信回路３３と、パケット処理回路３４と、インターフェース３５とを備えて構成される。コントローラ３１は、アダプタ装置３０の全体の動作を制御する。高速無線受信回路３３ａは、アンテナ３２を介して受信される映像音声無線信号を所定のデジタル復調方式を用いてベースバンド信号に復調した後、パケット処理回路３４に出力する。ここで、高速無線受信回路３３ａの伝送速度は、高速無線受信回路２４ａの伝送速度と同一になるように設定される。パケット処理回路３４は、コントローラ３１からの制御に基づいて、入力されるベースバンド信号から所定のパケット分離処理により映像音声信号を取り出した後、インターフェース３５に出力する。
【００４７】
また、低速無線送受信回路３３ｂは、アンテナ３２を介して受信される無線信号を所定のデジタル復調方式を用いてベースバンド信号に復調した後、パケット処理回路３４に出力する。ここで、低速無線送受信回路３３ｂの伝送速度は、低速無線送受信回路２４ｂの伝送速度と同一になるように設定される。パケット処理回路３４は、コントローラ３１からの制御に基づいて、入力されるベースバンド信号から所定のパケット分離処理により所定のコマンド信号及びメッセージ信号を取り出した後、コントローラ３１に出力する。
【００４８】
さらに、パケット処理回路３４は、コントローラ３１からの制御に従って、コントローラ３１から入力される種々のコマンド信号及びメッセージ信号を所定のパケットの形式のデジタル信号に変換して、低速無線送受信回路３３ｂに出力する。低速無線送受信回路３３ｂは、所定の周波数を有する搬送波を、パケット処理回路３４からのデジタル信号に従って変調することにより、無線信号を発生し、アンテナ３２を介してアダプタ装置２０のアンテナ２２に向け無線送信する。
【００４９】
インターフェース３５は、シンク装置４０とのインターフェース処理を実行して、ＨＤＭＩに準拠する信号やデータをＨＤＭＩケーブ５２を介してシンク装置４０に出力する一方、シンク装置４０からＨＤＭＩケーブル５２を介して入力される信号を受信して、信号変換やプロトコル変換を含む所定のインターフェース処理を実行してパケット処理回路３４に出力する。
【００５０】
図３において、シンク装置４０は、コントローラ４１と、インターフェース４２と、映像音声処理回路４３と、スピーカ付きディスプレイ４４と、ＥＤＩＤメモリ４５とを備えて構成される。コントローラ４１は、シンク装置４０の全体の動作を制御する。インターフェース４２は、コントローラ４１から入力される信号に対して、アダプタ装置３０とのインターフェース処理を実行して、ＨＤＭＩに準拠する信号を発生して、ＨＤＭＩケーブル５２を介してアダプタ装置３０に出力する一方、アダプタ装置３０からＨＤＭＩケーブル５２を介して入力される信号を受信して、信号変換やプロトコル変換を含む所定のインターフェース処理を実行してコントローラ４１に出力する。
【００５１】
コントローラ４１は、入力される映像音声信号を映像音声処理回路４３に出力する。映像音声処理回路４３は、入力される映像音声信号を映像信号及び音声信号に分離し、所定の信号処理を実行した後、スピーカ付きディスプレイ３６に出力して映像の表示や音声の出力を行う。また、ＥＤＩＤメモリ４５は、シンク装置４０の製品情報、製造者名、映像符号化方式（例えば、ＲＧＢ、ＹＣＢＣＲ４：４：４又はＹＣＢＣＲ４：２：２）、解像度、フィールド周波数、走査線数等のデータをそれぞれ含む複数の映像表示方式ならびに音声出力サンプリングレート、１サンプル当たりのビット数及びチャンネル数等のデータをそれぞれ含む複数の音声出力方式等のＥＤＩＤデータを予め記憶する。
【００５２】
次に、図４〜図９を参照して、図１の無線通信システムの動作を説明する。図４は、図１の無線通信システムの映像音声信号送信処理を示すシーケンス図である。なお、ソース装置１０、アダプタ装置２０，３０及びシンク装置４０の動作主体は各コントローラ１１，２１，３１，４１であるが、以下においてその記載を省略する。
【００５３】
図４において、ソース装置１０は、当該ソース装置１０にＨＤＭＩケーブル５１を介して電源オンの状態であるアダプタ装置２０が接続されたことを検出すると、ＨＤＭＩケーブル５１の５Ｖ電圧信号線の電圧レベルを０Ｖから５Ｖに変化させることにより、当該ソース装置１０が映像音声信号を含む送信信号を送信可能であることを示すハイレベルの５Ｖ電圧信号を発生して、送信可否通知信号としてアダプタ装置２０に出力する。
【００５４】
一方、アダプタ装置３０は、当該アダプタ装置３０にＨＤＭＩケーブル５２を介して電源オンの状態であるシンク装置４０が接続されたことを検出すると、ＨＤＭＩケーブル５２の５Ｖ電圧信号線の電圧レベルを０Ｖから５Ｖに変化させることによりハイレベルの５Ｖ電圧信号を発生して、シンク装置４０に出力する。これに応答して、シンク装置４０は、所定の初期化処理を行い、ＨＤＭＩケーブル５２のＨＰＤ信号線の電圧レベルをローレベルからハイレベルに変化させることにより、当該シンク装置４０が映像音声信号を含む送信信号を受信可能であることを示すハイレベルのＨＰＤ信号を発生して、アダプタ装置３０に出力する。これに応答して、アダプタ装置３０は、ＥＤＩＤデータを要求するＥＤＩＤ要求コマンド信号を発生して、ＨＤＭＩケーブル５２のＤＤＣ信号線を介してシンク装置４０に出力する。これに応答して、シンク装置４０は、ＥＤＩＤメモリ４５からシンク装置４０の複数の映像表示方式及び複数の音声出力方式のデータを含むＥＤＩＤデータを読み出して、読み出されたＥＤＩＤデータを含むＥＤＩＤデータ信号を、ＨＤＭＩケーブル５２のＤＤＣ信号線を介してアダプタ装置３０に出力する。
【００５５】
シンク装置４０からのＥＤＩＤデータ信号に応答して、アダプタ装置３０は、シンク装置４０が映像音声信号を含む送信信号を受信可能であることを示すＨＰＤ通知メッセージ信号を発生して、受信可否通知信号として、アンテナ３２を介してアダプタ装置２０のアンテナ２５に向け無線送信する。これに応答して、アダプタ装置２０は、シンク装置４０のＥＤＩＤデータを要求するＥＤＩＤ要求メッセージ信号を発生して、方式要求信号として、アンテナ２５を介してアダプタ装置３０のアンテナ３２に向け無線送信する。これに応答して、アダプタ装置３０は、シンク装置４０から受信されたＥＤＩＤデータを含むＥＤＩＤ応答メッセージ信号を発生して、方式通知信号として、アンテナ３２を介してアダプタ装置２０のアンテナ２５に向け無線送信する。
【００５６】
図５は、図４のＥＤＩＤ要求メッセージ信号に含まれるＥＤＩＤ要求メッセージのフォーマットの一例を示す図である。ＥＤＩＤ要求メッセージは、当該メッセージがＥＤＩＤ要求メッセージであることを示す所定のオペコードを示すオペコードフィールド６１（１６ビット）と、将来の拡張のための予備フィールド６２（１６ビット）とを含む。
【００５７】
図６は、図４のＥＤＩＤ応答メッセージ信号に含まれるＥＤＩＤ応答メッセージのフォーマットの一例を示す図である。ＥＤＩＤ応答メッセージは、当該メッセージがＥＤＩＤ応答メッセージであることを示す所定のオペコードを示すオペコードフィールド７１（１６ビット）と、当該メッセージの合計のデータ長を示す合計データ長フィールド７２（１６ビット）と、ＥＤＩＤデータが伝送される複数Ｎ個のＥＤＩＤデータフィールド７３−１〜７３−Ｎとを含む。各ＥＤＩＤデータフィールド７３−ｎ（Ｎ＝１，２，…，Ｎ）は、ＥＤＩＤデータを含むサブデータフィールド７６−ｎと、サブデータフィールド７６−ｎに含まれるＥＤＩＤデータのタイプを示すタイプフィールド７４−ｎ（８ビット）と、サブデータフィールド７６−ｎのデータ長を示すデータ長フィールド７５−ｎ（８ビット）とを含む。
【００５８】
図４に戻り参照すると、アダプタ装置２０は、アダプタ装置３０からＥＤＩＤ応答メッセージ信号を無線受信すると、ステップＳ１において、ソース装置１０からの５Ｖ電圧信号がハイレベルであるか否かを判断し、ＮＯのときはステップＳ１の処理を繰り返し、ＹＥＳのときはステップＳ２において帯域予約処理を行う。すなわち、アダプタ装置２０は、アダプタ装置３０から、シンク装置４０が映像音声信号を含む送信信号を受信可能であることを示すＨＰＤ通知メッセージ信号（受信可否通知信号である。）を受信し、ソース装置１０から、当該ソース装置１０が映像音声信号を含む送信信号を送信可能であることを示す５Ｖ電圧信号（送信可否通知信号である。）を受信したときに、ステップＳ２において帯域予約処理を行う。
【００５９】
図７は、図２のアダプタ装置２０のコントローラ２１によって実行される、図４のステップＳ２の帯域予約処理を示すフローチャートである。はじめに、ステップＳ１１において、アダプタ装置３０から無線受信されたＥＤＩＤデータから、シンク装置４０の複数の映像表示方式及び複数の音声出力方式を読み出す。次いで、ステップＳ１２において、読み出された各映像表示方式の映像信号を伝送するために必要な各データ伝送速度を、当該映像表示方式のデータに基づいて算出する。具体的には、映像信号のフレームレートと、１フレームに含まれるピクセル数と、１ピクセルに含まれるビット数との積を、データ伝送速度として算出する。ここで、そして、ステップＳ１３において、読み出された映像表示方式のうち最速のデータ伝送速度を有する映像表示方式を選択し、ステップＳ１４に進む。
【００６０】
次に、図７のステップＳ１４において、読み出された各音声出力方式の音声信号を伝送するために必要な各データ伝送速度を、当該音声出力方式のデータに基づいて算出する。具体的には、音声信号のサンプリングレートと、１サンプル当たりのビット数と、チャンネル数との積を、データ伝送速度として算出する。そして、ステップＳ１５において、読み出された音声出力方式のうち最速のデータ伝送速度を有する音声出力方式を選択する。最後に、ステップＳ１６において、選択された映像表示方式及び音声出力方式を有する映像音声信号を伝送するための予約期間を割り当て、図４に戻る。
【００６１】
例えば、アダプタ装置３０から無線受信されたＥＤＩＤデータは、
（ａ）１０８０ｐ方式（水平有効画素数は１９２０ピクセル、垂直有効画素数は１０８０ピクセル、順次走査である。）の画像の出力方式と、６０Ｈｚのフィールド周波数と、２４ビットカラー方式の色の表現方法とを有する映像表示方式（以下、１０８０／６０ｐ／２４ｂｉｔという。）と、
（ｂ）１０８０ｉ方式（水平有効画素数は１９２０ピクセル、垂直有効画素数は１０８０ピクセル、飛び越しである。）の画像の出力方式と、６０Ｈｚのフィールド周波数と、２４ビットカラー方式の色の表現方法とを有する映像表示方式（以下、１０８０／６０ｉ／２４ｂｉｔという。）と、
（ｃ）７２０ｐ方式（水平有効画素数は１２８０ピクセル、垂直有効画素数は７２０ピクセル、順次走査である。）の画像の出力方式と、６０Ｈｚのフィールド周波数と、２４ビットカラー方式の色の表現方法とを有する映像表示方式（以下、７２０／６０ｐ／２４ｂｉｔという。）と、
（ｄ）４８０ｐ方式（水平有効画素数は７２０ピクセル、垂直有効画素数は４８０ピクセル、順次走査である。）の画像の出力方式と、６０Ｈｚのフィールド周波数と、２４ビットカラー方式の色の表現方法とを有する映像表示方式（４８０／６０ｐ／２４ｂｉｔという。）とを含む。
【００６２】
このとき、１０８０／６０ｐ／２４ｂｉｔの映像表示方式の映像信号を伝送するために必要なデータ伝送速度（１９２０×１０８０×６０×２４＝２．９８５９８４Ｇｂｐｓ）が最も速いので、アダプタ装置２０は、１０８０／６０ｐ／２４ｂｉｔを選択し、データ伝送速度が２．９８５９８４Ｇｂｐｓ以上である予約期間を割り当てて予約する。
【００６３】
図４に戻り参照すると、アダプタ装置２０は、帯域予約処理を終了すると、ＨＤＭＩケーブル５１のＨＰＤ信号線の電圧レベルをローレベルからハイレベルに変化させることによりハイレベルのＨＰＤ信号を発生して、ソース装置１０に出力する。これに応答して、ソース装置１０は、ＥＤＩＤデータを要求するＥＤＩＤ要求コマンド信号を発生して、ＨＤＭＩケーブル５１のＤＤＣ信号線を介してアダプタ装置２０に出力する。これに応答して、アダプタ装置２０は、アダプタ装置３０から受信された、シンク装置４０の複数の映像表示方式及び複数の音声出力方式のデータを含むＥＤＩＤデータを含むＥＤＩＤデータ信号を、ＨＤＭＩケーブル５１のＤＤＣ信号線を介してソース装置１０に出力する。
【００６４】
ソース装置１０は、アダプタ装置２０からＥＤＩＤデータ信号を受信すると、受信されたＥＤＩＤデータから、シンク装置４０の複数の映像表示方式及び複数の音声出力方式を読み出し、読み出された複数の映像表示方式及び複数の音声出力方式から、映像表示方式及び音声出力方式を１つずつ選択する。さらに、ソース装置１０は、選択された映像表示方式及び音声出力方式を有する映像音声信号を発生して、ＨＤＭＩケーブル５１の映像音声信号線を介してアダプタ装置２０に出力する。アダプタ装置２０は、ソース装置１０からの映像音声信号に基づいて映像音声無線信号を発生して、割り当てられた予約期間において、アダプタ装置３０に無線送信する媒体アクセス制御処理を行う。さらに、アダプタ装置３０は、受信された映像音声無線信号に基づいて映像音声信号を発生し、ＨＤＭＩケーブル５２の映像音声信号線を介してシンク装置４０に出力する。シンク装置４０は、アダプタ装置３０からの映像音声信号をスピーカ付きディスプレイ３６に出力して映像の表示や音声の出力を行う。
【００６５】
一方、アダプタ装置２０は、ソース装置１０から映像音声信号を受信すると、ステップＳ３において帯域変更処理を行う。
【００６６】
図８は、図２のアダプタ装置２０のコントローラ２１によって実行される、図４のステップＳ３の帯域変更処理を示すフローチャートである。まず、ステップＳ３１において、ソース装置１０からの映像音声信号から、当該映像音声信号の映像表示方式及び音声出力方式を読み出す。そして、ステップＳ３２において、読み出された映像表示方式及び音声出力方式が選択された映像表示方式及び音声出力方式と同じか否かを判断する。ステップＳ３２においてＹＥＳのときは図４に戻り、ＮＯのときはステップＳ３３に進む。ステップＳ３３において、上述した帯域予約処理において割り当てられた予約期間を解放し、読み出された映像表示方式及び音声出力方式を有する映像音声信号を伝送するための予約期間を割り当てて予約し、図４に戻る。図４に戻り参照すると、アダプタ装置２０は、ソース装置１０からの映像音声信号に基づいて映像音声無線信号を発生して、割り当てられた予約期間において、アダプタ装置３０に無線送信する。
【００６７】
図９は、図２のアダプタ装置２０のコントローラ２１によって実行される、帯域解放処理を示すフローチャートである。コントローラ２１は、図７の帯域予約処理を実行した後に、バックグラウンドで図９の帯域解放処理を実行する。まず、ステップＳ４１において、ソース装置１０からの５Ｖ電圧信号がハイレベルからローレベルに変化したか否かが判断され、ＹＥＳのときはステップＳ４３に進み、ＮＯのときはステップＳ４２に進む。ステップＳ４２において、アダプタ装置３０から、シンク装置４０が映像音声信号を受信できないことを示すＨＰＤ通知メッセージ信号を受信したか否かが判断され、ＹＥＳのときはステップＳ４３に進み、ＮＯのときは帯域解放処理を終了する。ステップＳ４３において、図７の帯域予約処理において映像音声信号の伝送のために割り当てられた予約期間を解放する。なお、アダプタ装置３０は、シンク装置４０からのＨＰＤ信号の電圧レベルがハイレベルからローレベルに変化したことを検出したときに、シンク装置４０が映像音声信号を受信できないことを示すＨＰＤ通知メッセージ信号を発生して、アダプタ装置２０に無線送信する。
【００６８】
図９の帯域解放処理によれば、アダプタ装置２０は、ソース装置１０が映像音声信号を送信できないことを示すローレベルの５Ｖ電圧信号（送信可否通知信号である。）及びシンク装置４０が映像音声信号を受信できないことを示すＨＰＤ通知メッセージ信号（受信可否通知信号である。）のうちの少なくとも一方を受信したときに、映像音声信号の伝送のために割り当てられた予約期間を解放する。
【００６９】
以上詳述したように、本実施形態によれば、アダプタ装置２０は、シンク装置４０の複数の映像表示方式及び複数の音声出力方式のデータを含む方式通知信号をアダプタ装置３０から無線受信し、受信された複数の映像表示方式のデータに基づいて最速のデータ伝送速度を有する映像表示方式を選択し、受信された複数の音声出力方式のデータに基づいて最速のデータ伝送速度を有する音声出力方式を選択し、選択された映像表示方式の映像信号及び選択された音声出力方式の音声信号を無線伝送するための帯域を、ソース装置１０からの映像音声信号を無線伝送するための帯域として予約するので、従来技術に比較して、ソース装置１０からの映像音声信号をアダプタ装置３０に効率的に無線送信できる。
【００７０】
なお、アダプタ装置２０は、アダプタ装置３０から受信したシンク装置４０のＥＤＩＤデータを記憶しておいてもよい。この場合、アダプタ装置２０は、アダプタ装置３０からシンク装置４０が映像音声信号を受信可能であることを示すＨＰＤ通知メッセージ信号を受信すると、アダプタ装置３０へのＥＤＩＤ要求メッセージ信号の送信及びアダプタ装置３０からのＥＤＩＤ応答メッセージ信号の受信（図４参照）を行うことなく、上記記憶されたＥＤＩＤデータに基づいて、図７の帯域予約処理を行う。
【００７１】
第２の実施形態．
図１０は、本発明の第２の実施形態に係るソース装置用アダプタ装置２０Ａ（以下、アダプタ装置２０Ａという。）及びソース装置１０の各構成を示すブロック図である。また、図１１は、図１０のテーブルメモリ２６に格納される映像信号用帯域管理テーブルを示す図である。
【００７２】
第２の実施形態に係るアダプタ装置２０Ａは、第１の実施形態に係るアダプタ装置２０に比較して、シンク装置４０の各映像表示方式と各映像表示方式の映像信号を無線伝送するための各データ伝送速度とを対応づけて格納する映像信号用帯域管理テーブルと、シンク装置４０の各音声出力方式と各音声出力方式の音声信号を無線伝送するための各データ伝送速度とを対応づけて格納する音声信号用帯域管理テーブルとを予め記憶するテーブルメモリ２６をさらに備え、コントローラ２１は、映像信号用帯域管理テーブルを参照して、最速のデータ伝送速度を有する映像表示方式を選択し、音声信号用帯域管理テーブルを参照して、最速のデータ伝送速度を有する音声出力方式を選択することを特徴としている。
【００７３】
図１１に示すように、映像信号用帯域管理テーブルは、シンク装置４０の各映像表示方式と、各映像表示方式の映像信号を無線伝送するための各データ伝送速度とを対応付けて格納している。
【００７４】
次に、アダプタ装置２０Ａのコントローラ２１によって実行される帯域予約処理を説明する。アダプタ装置２０Ａは、アダプタ装置３０からＥＤＩＤ応答メッセージ信号（図４参照）を無線受信すると、ソース装置１０からの５Ｖ電圧信号がハイレベルであるときに、アダプタ装置３０から無線受信されたＥＤＩＤデータから、シンク装置４０の複数の映像表示方式及び複数の音声出力方式を読み出す。そして、アダプタ装置２０Ａは、映像信号用帯域管理テーブルを参照して、読み出された複数の映像表示方式のうち、最速のデータ伝送速度を有する映像表示方式を選択する。さらに、アダプタ装置２０Ａは、音声信号用帯域管理テーブルを参照して、読み出された各音声出力方式の映像信号を伝送するために必要な各データ伝送速度を決定し、読み出された複数の音声出力方式のうち、最速のデータ伝送速度を有する音声出力方式を選択する。そして、選択された映像表示方式及び音声出力方式を有する映像音声信号を伝送するための予約期間を割り当てる。
【００７５】
従って、第２の実施形態によれば、第１の実施形態に比較して、ソース装置１０からの映像音声信号を無線送信するための予約期間を割り当てる帯域予約処理に要する時間を短縮できる。
【００７６】
なお、テーブルメモリ２６は、シンク装置４０の各映像表示方式と、各映像表示方式の映像信号を無線伝送するための各データ伝送速度を示す優先順位とを対応づけて格納する映像信号用帯域管理テーブルを予め記憶してもよい。このとき、このとき、アダプタ装置２０のコントローラ２１は、映像信号用帯域管理テーブルを参照して、最高の優先順位を有する映像表示方式を、複数の映像表示方式のうち最速のデータ伝送速度を有する映像表示方式として選択してもよい。
【００７７】
また、テーブルメモリ２６は、シンク装置４０の各音声出力方式と、各音声出力方式の映像信号を無線伝送するための各データ伝送速度を示す優先順位とを対応づけて格納する音声信号用帯域管理テーブルを予め記憶してもよい。このとき、このとき、アダプタ装置２０のコントローラ２１は、音声信号用帯域管理テーブルを参照して、最高の優先順位を有する音声出力方式を、複数の映像表示方式のうち最速のデータ伝送速度を有する音声出力方式として選択してもよい。
【００７８】
第２の実施形態の変形例．
第２の実施形態の変形例は、第２の実施形態に比較して、映像信号用帯域管理テーブルが、シンク装置４０の各映像表示方式と、各映像表示方式の映像信号を無線伝送するための帯域を予約するための各帯域予約パラメータとを対応づけてさらに格納したことを特徴としている。さらに、コントローラ２１は、映像信号用帯域管理テーブルを参照して、最速のデータ伝送速度を有する映像表示方式を選択し、選択された映像表示方式に対応する帯域予約パラメータを用いて、選択された映像表示方式の映像信号を無線伝送するための帯域を、ソース装置１０からの映像音声信号に含まれる映像信号を無線伝送するための帯域として予約することを特徴としている。
【００７９】
図１２は、本発明の第２の実施形態の変形例に係る映像信号用帯域管理テーブルを示す図である。図１２に示すように、第２の実施形態の変形例に係る映像信号用帯域管理テーブルは、映像表示方式と、各映像表示方式のデータ伝送速度を示す選択の優先順位と、各映像表示方式の映像信号を送信するために必要な帯域を予約するための帯域予約パラメータとの関係を含む。
【００８０】
ここで、ソース装置１０からの映像音声信号に含まれる映像信号を無線伝送するための帯域は、複数の予約期間の繰り返しから構成され、帯域予約パラメータは、各予約期間の時間幅と、時間間隔と、繰り返し回数と、伝送モードとを含む。伝送モードは、高速無線送信回路２４ａを用いて映像音声信号を伝送する伝送モード１と、低速無線送受信回路２４ｂを用いて映像音声信号を伝送する伝送モード２とを含む。
【００８１】
次に、アダプタ装置２０Ａのコントローラ２１によって実行される帯域予約処理を説明する。アダプタ装置２０Ａは、アダプタ装置３０からＥＤＩＤ応答メッセージ信号（図４参照）を無線受信すると、ソース装置１０からの５Ｖ電圧信号がハイレベルであるときに、映像信号用帯域管理テーブルを参照して、最高の優先順位を有する映像表示方式を選択する。そして、映像信号用帯域管理テーブルを参照して、帯域予約パラメータに基づいて、選択された映像表示方式を有する映像信号を伝送するための予約期間を割り当てる。さらに、アダプタ装置２０Ａは、ソース装置１０からの映像音声信号に含まれる映像信号を、予約された予約期間において、アダプタ装置３０に向け送信する。
【００８２】
従って、第２の実施形態の変形例によれば、第２の実施形態に比較して、ソース装置１０からの映像音声信号に含まれる映像信号を無線送信するための予約期間を割り当てる帯域予約処理に要する時間を短縮できる。なお、帯域予約パラメータは、図１２に示したものに限られない。
【００８３】
上記各実施形態及び変形例において、シンク装置４０の映像表示方式は、１０８０／６０ｐ／２４ｂｉｔ，１０８０／６０ｉ／２４ｂｉｔ，７２０／６０ｐ／２４ｂｉｔ及び４８０ｐ方式であったが、本発明はこれに限らず、他の映像表示方式であってもよい。
【００８４】
また、上記各実施形態及び変形例において、アダプタ装置２０，２０Ａは、シンク装置４０のＥＤＩＤデータを要求するＥＤＩＤ要求メッセージ信号を、アダプタ装置３０に対して無線送信した。また、これに応答して、アダプタ装置３０は、シンク装置４０のＥＤＩＤデータを含むＥＤＩＤ応答メッセージ信号を、アダプタ装置２０，２０Ａに対して無線送信した。しかしながら、本発明はこれに限らず、アダプタ装置２０，２０Ａは、シンク装置４０の複数の映像表示方式及び複数の音声出力方式のデータを要求する方式要求信号を、アダプタ装置３０に対して無線送信してもよい。このとき、シンク装置４０は、これに応答して、シンク装置４０の複数の映像表示方式及び複数の音声出力方式のデータを含む方式通知信号を、アダプタ装置２０，２０Ａに対して無線送信する。
【００８５】
さらに、上記各実施形態及び変形例において、映像音声信号を含む映像音声無線信号は高速無線送信回路２４ａ及び高速無線受信回路２４ｂを用いて伝送され、メッセージ信号及びコマンド信号を含む無線信号は低速無線送受信回路２４ｂ，３３ｂを用いて伝送された。しかしながら、本発明はこれに限られず、映像信号を含む無線信号を高速無線送信回路２４ａ及び高速無線受信回路２４ｂを用いて送信し、音声信号、メッセージ信号及びコマンド信号を含む無線信号を低速無線送受信回路２４ｂ，３３ｂを用いて送受信してもよい。あるいは、映像音声信号、メッセージ信号及びコマンド信号を含む無線信号を、高速無線送信回路２４ａ及び高速無線受信回路２４ｂを用いて送受信してもよい。また、高速無線送信回路２４ａ及び高速無線受信回路２４ｂ用の各アンテナを設け、低速無線送受信回路２４ｂ，３３ｂ用の各アンテナを設けてもよい。
【００８６】
図９の帯域解放処理において、アダプタ装置２０は、ソース装置１０が映像音声信号を送信できないことを示すローレベルの５Ｖ電圧信号（送信可否通知信号である。）及びシンク装置４０が映像音声信号を受信できないことを示すＨＰＤ通知メッセージ信号（受信可否通知信号である。）のうちの少なくとも一方を受信したときに、映像音声信号の伝送のために割り当てられた予約期間を解放した。しかしながら、本発明はこれに限らず、アダプタ装置２０は、ソース装置１０が映像音声信号を送信できないことを示すローレベルの５Ｖ電圧信号を受信したときに、上記割り当てられた予約期間を解放してもよい。あるいは、アダプタ装置２０は、シンク装置４０が映像音声信号を受信できないことを示すＨＰＤ通知メッセージ信号（受信可否通知信号である。）を受信したときに、上記割り当てられた予約期間を解放してもよい。
【００８７】
またさらに、上記各実施形態及び変形例において、ソース装置１０はＤＶＤプレーヤであったが、本発明はこれに限らず、セットトップボックス又はＤＶＤ記録再生装置などの映像音声信号を出力するソース装置であってもよい。また、上記各実施形態において、シンク装置４０はＰＤＰ装置であったが、本発明はこれに限らず、スピーカ付きプロジェクタ装置などの、映像信号をディスプレイに出力して表示し、音声信号をスピーカに出力するシンク装置であってもよい。
【００８８】
また、上記各実施形態及び変形例において、アダプタ装置２０，２０Ａは、映像音声信号を伝送するために必要なデータ伝送速度を有する予約期間を割り当てて予約した（図７のステップＳ１６及び図８のステップＳ３３）が、本発明はこれに限らず、映像音声信号を伝送するために必要なデータ伝送速度を有する周波数帯域を割り当てて予約してもよい。
【００８９】
さらに、上記各実施形態及び変形例において、ソース装置１０は、ＨＤＭＩに準拠した信号を送受信する信号ソース装置であり、シンク装置４０は、ＨＤＭＩに準拠した信号を送受信する信号シンク装置であった。しかしながら、本発明はこれに限らず、ソース装置１０はＤＶＩに準拠した信号を送受信する信号ソース装置であってよく、シンク装置４０は、ＤＶＩに準拠した信号を送受信する信号シンク装置であってもよい。
【００９０】
このとき、アダプタ装置２０は、ソース装置１０にＤＶＩケーブルを介して接続され、映像信号を含むソース装置１０からの送信信号を所定の帯域において無線送信する。また、アダプタ装置３０は、シンク装置４０にＤＶＩケーブルを介して接続され、上記送信信号を無線受信し、無線受信された送信信号に含まれる映像信号をシンク装置４０の表示手段に出力して表示する。さらに、アダプタ装置２０のコントローラ２１は、シンク装置４０の複数の映像表示方式のデータを含む方式通知信号をアダプタ装置３０から無線受信し、上記複数の映像表示方式のデータに基づいて最速のデータ伝送速度を有する映像表示方式を選択し、上記選択された映像表示方式の映像信号を無線伝送するための帯域を上記所定の帯域として予約する。
【産業上の利用可能性】
【００９１】
以上詳述したように、本発明に係るソース装置用アダプタ装置及びソース装置用アダプタ装置の制御方法によれば、上記シンク装置の複数の映像表示方式のデータを含む方式通知信号を上記シンク装置用アダプタ装置から無線受信し、上記複数の映像表示方式のデータに基づいて最速のデータ伝送速度を有する映像表示方式を選択し、上記選択された映像表示方式の映像信号を無線伝送するための帯域を上記所定の帯域として予約するので、ソース装置からの映像信号を従来技術に比較して効率的に無線送信できる。
【図面の簡単な説明】
【００９２】
【図１】本発明の第１の実施形態に係る、ソース装置１０と、アダプタ装置２０及び３０と、シンク装置４０とを含む無線通信システムの構成を示すブロック図である。
【図２】図１のソース装置１０及びアダプタ装置２０の各構成を示すブロック図である。
【図３】図１のアダプタ装置３０及びシンク装置４０の各構成を示すブロック図である。
【図４】図１の無線通信システムの映像音声信号送信処理を示すシーケンス図である。
【図５】図４のＥＤＩＤ要求メッセージ信号に含まれるＥＤＩＤ要求メッセージのフォーマットの一例を示す図である。
【図６】図４のＥＤＩＤ応答メッセージ信号に含まれるＥＤＩＤ応答メッセージのフォーマットの一例を示す図である。
【図７】図２のアダプタ装置２０のコントローラ２１によって実行される、図４のステップＳ２の帯域予約処理を示すフローチャートである。
【図８】図２のアダプタ装置２０のコントローラ２１によって実行される、図４のステップＳ３の帯域変更処理を示すフローチャートである。
【図９】図２のアダプタ装置２０のコントローラ２１によって実行される、帯域解放処理を示すフローチャートである。
【図１０】本発明の第２の実施形態に係るアダプタ装置２０Ａ及びソース装置１０の各構成を示すブロック図である。
【図１１】図１０のテーブルメモリ２６に格納される映像信号用帯域管理テーブルを示す図である。
【図１２】本発明の第２の実施形態の変形例に係る映像信号用帯域管理テーブルを示す図である。
【符号の説明】
【００９３】
１０…ソース装置、
１１，２１，３１，４１…コントローラ、
１２…デコーダ、
１３…ＤＶＤドライブ、
１４…ＤＶＤ、
１５，２２，３５，４２…インターフェース、
２０，２０Ａ…ソース装置用アダプタ装置、
３０…シンク装置用アダプタ装置、
２３，３４…パケット処理回路、
２４，３３…無線送受信回路、
２４ａ…高速無線送信回路、
２４ｂ，３３ｂ…低速無線送受信回路、
２５，３２…アンテナ、
２６…テーブルメモリ、
３３ａ…高速無線受信回路、
４３…映像音声処理回路、
４４…スピーカ付きディスプレイ、
４５…ＥＤＩＤメモリ、
５１，５２…ＨＤＭＩケーブル。
【図１】
2009284047.tif 000003
【図２】
2009284047.tif 000004
【図３】
2009284047.tif 000005
【図４】
2009284047.tif 000006
【図５】
2009284047.tif 000007
【図６】
2009284047.tif 000008
【図７】
2009284047.tif 000009
【図８】
2009284047.tif 000010
【図９】
2009284047.tif 000011
【図１０】
2009284047.tif 000012
【図１１】
2009284047.tif 000013
【図１２】
2009284047.tif 000014